(57)【要約】【課題】頭部から分泌される汗を捕捉・吸収する頭部装身具の提供を目的とする。【解決手段】本発明は、頭部周囲に装着する棒状の装身具であって、前頭部及び両側頭部に弾着可能である略円弧状のヘッド部と、ヘッド部の両端から延び、耳介上側から背後に沿って頸部までに着装可能である一対の耳掛け部とを備え、ヘッド部及び耳掛け部が、心線と、この心線の全部又は一部を被覆する吸水性部材とを有している頭部装身具である。かかるヘッド部の心線は弾性体から構成され、耳掛け部の心線は塑性変形体から構成されているとよい。また、ヘッド部及び耳掛け部の心線が一体成形された金属製線材から構成されているとよく、この金属製線材が形状記憶合金から構成され、ヘッド部の心線の変態点が０℃以上１０℃以下、上記耳掛け部の心線の変態点が５０℃以上１２０℃以下であることが好ましい。【選択図】図１
2011026718.tif 000002
【特許請求の範囲】
【請求項１】
頭部周囲に装着する棒状の装身具であって、
前頭部及び両側頭部に弾着可能である略円弧状のヘッド部と、このヘッド部の両端から延び、両耳介上側から背後に沿って頸部までに着装可能である一対の耳掛け部とを備え、
上記ヘッド部及び耳掛け部が、心線と、この心線の全部又は一部を被覆する吸水性部材とを有している頭部装身具。
【請求項２】
上記ヘッド部の心線が弾性体から構成され、上記耳掛け部の心線が塑性変形体から構成される請求項１に記載の頭部装身具。
【請求項３】
上記ヘッド部及び耳掛け部の心線が、一体成形された金属製線材から構成される請求項１又は請求項２に記載の頭部装身具。
【請求項４】
上記金属製線材が形状記憶合金から構成され、
上記ヘッド部の心線の変態点が０℃以上１０℃以下、上記耳掛け部の心線の変態点が５０℃以上１２０℃以下である請求項３に記載の頭部装身具。
【請求項５】
上記金属製線材が鋼から構成され、
上記ヘッド部の心線のみに焼入れ処理及び焼き戻し処理が施されている請求項３に記載の頭部装身具。
【請求項６】
上記ヘッド部及び耳掛け部の心線の線径が、２ｍｍ以上５ｍｍ以下である請求項１から請求項５のいずれか１項に記載の頭部装身具。
【請求項７】
上記吸水性部材が、吸水性樹脂と、複数の通水性シート材とから構成され、
この複数の通水性シート材が、吸水性樹脂を挟入する請求項１から請求項６のいずれか１項に記載の頭部装身具。
【請求項８】
上記吸水性樹脂の吸水量が、１０ｇ／ｇ以上１５００ｇ／ｇ以下である請求項７に記載の頭部装身具。
【請求項９】
上記通水性シート材の通気度が、０．１ｃｍ３／ｃｍ２・ｓｅｃ以上４０ｃｍ３／ｃｍ２・ｓｅｃ以下である請求項７に記載の頭部装身具。
【請求項１０】
上記吸水性部材に、抗菌剤、消臭剤及び／又は香料を配合する請求項１から請求項９のいずれか１項に記載の頭部装身具。
【発明の詳細な説明】
【技術分野】
【０００１】
本発明は、頭部から分泌される汗を捕捉・吸収する頭部装身具に関するものである。
【背景技術】
【０００２】
ヒトは、体温の上昇や緊張・不安等のストレスにより汗腺から汗を分泌する。汗は、体温調節等の生理的機能に重要な役割を果たすものであるが、過度に分泌される場合には、ベタつき等の不快感を生じさせたり、また、悪臭や汗疹の原因ともなり得る。特に、汗腺が多く分布する頭部から分泌される汗が、感覚器官の集中する顔面や頸部に流出すると、より一層の不快感を生じさせると共に、他人から見た外観上の印象を悪化させる。
【０００３】
このように、頭部から顔面や頸部に流出する汗に対しては、ハンカチやタオル等の布材を用いて拭き取る手段が一般的である。しかしながら、例えば、商取引やプレゼンテーション等のビジネスの場面において、顔面や頸部に流れる大量の汗をハンカチ等で頻繁に拭き取る行為は、顧客等の他人から見て、少なくとも良い印象を与えるものではない。さらに、他人の目を気にしながら汗を布材で頻繁に拭き取る行為は、集中力の低下を招くとも考えられる。
【０００４】
また、吸水性材料から形成される鉢巻やバンドを頭部周囲に装着する手段を用いて、頭部から流出する汗を捕捉・吸収する手段も一般的である。例えば、特開平９−８７９０９号公報では、複数枚の布地の編み込みにより形成された額当て用の紐部と、この紐部の両端に延設された一端が紐部に連なり、他端が開放する複数枚の垂部から構成され、この垂部が紐部と一体の布地により形成されている鉢巻が開示されている。また、特開２００１−２０７３２１号公報では、主として額から流出する汗を留めるべく、吸水性に優れると共に汗の蒸発を促す通気孔を穿設し、額に当接する薄手の布体から形成され、この布体に伸縮可能なゴム紐を連結して構成される汗取りヘアーバンドが開示されている。
【０００５】
しかしながら、このような従来の手段は、（１）できる限り多くの量の汗を吸収するために大型化や形状の特殊化を図る必要があることから、頭部周囲への着脱の簡便性を向上しつつ外観を目立たないようにするためには、スマートかつシンプルな形状を有することが望まれる。また、（２）このような手段を頭部周囲に装着すると、かかる装着面が、特に後頭部において厚い毛髪層に接触し、直接頭皮に接触することは困難であることから、後頭部から流出する汗を効果的に捕捉することができず、汗が頸部にまで流出するという問題が生じる。
【先行技術文献】
【特許文献】
【０００６】
【特許文献１】特開平９−８７９０９号公報
【特許文献２】特開２００１−２０７３２１号公報
【発明の概要】
【発明が解決しようとする課題】
【０００７】
本発明は、これらの不都合に鑑みてなされたものであり、頭部から流出する汗を前頭部から両側頭部及び両耳介上側を経て頸部まで広く捕捉し、効果的かつ高容量に吸収することができると共に、スマート・シンプルでデザイン性が高い棒状の頭部装身具の提供を目的とするものである。
【課題を解決するための手段】
【０００８】
上記課題を解決するためになされた発明は、
頭部周囲に装着する棒状の装身具であって、
前頭部及び両側頭部に弾着可能である略円弧状のヘッド部と、このヘッド部の両端から延び、両耳介上側から背後に沿って頸部までに着装可能である一対の耳掛け部とを備え、
上記ヘッド部及び耳掛け部が、心線と、この心線の全部又は一部を被覆する吸水性部材とを有している頭部装身具である。
【０００９】
当該頭部装身具は、心線と、この心線の全部又は一部を被覆する吸水性部材とから構成されるヘッド部及び耳掛け部を有する棒状のアクセサリーである。このヘッド部は、略円弧状の形状を有し、頭部周囲に弾着して前頭部及び両側頭部を押圧することで、頭部周囲で捕捉した汗が顔面や頸部に流出することを防止できる。また、ヘッド部の両端から延びる一対の耳掛け部は、両耳介上側に掛架させつつ耳介周辺から頸部までに着装させることで、両側頭部及び後頭部から流出する汗が耳介周辺から頸部にかけて流出することを防止できる。このように、当該頭部装身具は、頭部全体から流出する汗を、頭部周囲及び頸部にかけて広く効果的に捕捉・吸収することができる。さらに、このような当該頭部装身具の形状は、スマートかつシンプルで目立たないものであることから、頭部周囲への着脱が容易となると共に、ファッション性を向上させる余地がある。
【００１０】
上記ヘッド部の心線が弾性体から構成され、上記耳掛け部の心線が塑性変形体から構成されるとよい。このヘッド部の心線が弾性体から構成されることで、前頭部及び側頭部周囲への着脱が容易になると共に、弾着時において前頭部及び両側頭部を押圧し、頭部から流出する汗を漏れなく捕捉することができる。また、この耳掛け部の心線が塑性変形体から構成されることで、耳掛け部の形状を容易に変形させつつ変形後の形状を維持することができ、耳介上側への掛架が容易になると共に、耳介周辺から頸部まで広範囲に着装させることができる。その結果、後頭部から流出する汗をも効果的に捕捉することができる。
【００１１】
上記ヘッド部及び耳掛け部の心線が一体成形された金属製線材から構成されるとよい。このように、ヘッド部及び耳掛け部の心線が一体成形された金属製線材から構成されることで、ヘッド部の心線と耳掛け部の心線との境界部分が連続的に一体化し、ヘッド部の弾性及び耳掛け部の塑性変形性を一体不可分かつ確実に実現することができる。また、ヘッド部の心線の弾性変形の繰り返しや耳掛け部の心線の塑性変形の繰り返しを原因とする境界部分からの分離破損を防ぐことができる。
【００１２】
上記金属製線材が形状記憶合金から構成され、上記ヘッド部の心線の変態点が０℃以上１０℃以下、上記耳掛け部の心線の変態点が５０℃以上１２０℃以下であることが好ましい。この金属製線材が形状記憶合金から構成されることで、当該頭部装身具は、形状記憶性及び超弾性を発揮し、ヘッド部に要求される弾性と、耳掛け部に要求される柔軟性及び塑性変形性を、単純な構成により容易に実現することができる。また、ヘッド部の心線の変態点を０℃以上１０℃以下、耳掛け部の心線の変態点を５０℃以上１２０℃以下に設定することで、ヘッド部の心線と耳掛け部の心線との変態点を、それぞれ異なる温度に設定することができ、ヘッド部及び耳掛け部の使用特性に応じた最適な形状記憶性及び超弾性を発揮することができる。
【００１３】
上記金属製線材が鋼から構成され、上記ヘッド部の心線のみに焼入れ処理及び焼き戻し処理が施されているとよい。かかる鋼に焼入れ処理を施すことで、ヘッド部の心線に十分な硬度を付与し、耐久性及び耐衝撃性を向上することができる。また、焼入れ処理で硬化した鋼に焼き戻し処理を施すことで、ヘッド部の心線に靭性を付与し、良好な弾性を発揮させることができる。
【００１４】
上記ヘッド部及び耳掛け部の心線の線径が、２ｍｍ以上５ｍｍ以下であるとよい。この棒状のヘッド部及び耳掛け部の心線の線径を上記範囲とすることで、より一層スマートかつシンプルで目立たない形状を実現することができると共に、ヘッド部及び耳掛け部の新剤の柔軟性を確保することができる。また、ヘッド部及び耳掛け部の心線の全部又は一部を後述する吸水性部材で被覆し、十分な量の汗を吸収させた場合であっても、ヘッド部及び耳掛け部の全体的なサイズの肥大を最小限に止めることができる。
【００１５】
上記吸水性部材が、吸水性樹脂と、複数の通水性シート材とから構成され、この複数の通水性シート材が吸水性樹脂を挟入するものであるとよい。この吸水性樹脂により、頭部から大量に分泌される汗をより多く効果的に吸収・保持することができる。また、通水性シート材により、頭部から流出する汗を吸収し、吸収した汗の気化熱を外部に分散させて頭部周囲の体感体温を下げることができる。さらに、この複数の通水性シート材が吸水性樹脂を挟入することで、吸水性樹脂がヘッド部及び耳掛け部の心線に付着することを防ぐと共に、吸水性樹脂自体を外部の接触等から十分に保護することができる。
【００１６】
上記吸水性樹脂の吸水量が、１０ｇ／ｇ以上１５００ｇ／ｇ以下であるとよい。この吸水性樹脂の吸水量を上記範囲とすることで、例えば、多汗症やストレス等により過度に汗を分泌する場合であっても、流出する大量の汗を漏れなく十分に捕捉・吸収することができる。また、この吸水量の範囲であれば、汗を吸収・保持した状態の吸水性樹脂が衝撃吸収性を発揮し、その結果、吸水性部材の破損や変形を防ぐことができる。
【００１７】
上記通水性シート材の通気度が、０．１ｃｍ３／ｃｍ２・ｓｅｃ以上４０ｃｍ３／ｃｍ２・ｓｅｃ以下であるとよい。この通水性シート材の通気度を上記範囲とすることで、通水性シート材及び吸水性樹脂に吸収・保持された汗を効率よく気化することができると共に、この気化熱を外部に発散して頭部周囲の体感温度をより一層下げることができる。
【００１８】
上記吸水性部材に、抗菌剤、消臭剤及び／又は香料を配合するとよい。この吸水性部材に抗菌剤を配合することで、当該頭部装身具に付着する細菌を除去し、悪臭の発生や吸水性部材の劣化を防止することができる。また、消臭剤を配合することで、悪臭の発生を一層抑制することができる。さらに、香料を配合することで、当該頭部装身具の装着者や第三者に対するリラックス効果を高めると共に、大量の汗をかいた装着者の外観上の印象を芳香により改善する余地を有する。
【００１９】
ここで、「頭部」とは、前頭部、頭頂部、後頭部及び左右両側頭部を意味する。「頸部」とは、前頸部、左右両横頸部及び後頸部を意味する。「線径」とは、本発明の棒状のヘッド部及び耳掛け部の心線を長手方向と垂直に切断した面に接する外接円の直径を意味する。「通気度」とは、ＪＩＳＬ−１０９６の規定に準拠した測定値である。
【発明の効果】
【００２０】
以上説明したように、本発明の頭部装身具は、ヘッド部及び耳掛け部の心線の全部又は一部が吸水性部材で被覆されているという単純な構造を有するものである。このヘッド部を前頭部及び両側頭部に弾着して押圧させ、一対の耳掛け部を両耳介上側から背後に沿って頸部までに着装させることで、頭部から流出する汗を頭部周囲から頸部まで広く捕捉・吸収することができる。さらに、この頭部装身具は、スマートな棒状のアクセサリーであり、シンプルで目立たない構造を有することから、着脱の容易性、小型化、デザイン性及びファッション性の高い外観を実現することができ、広く一般に使用され得る。
【図面の簡単な説明】
【００２１】
【図１】本発明の一実施形態に係る頭部装身具を示す模式的斜視図
【図２】図１の頭部装身具のヘッド部を長手方向と垂直に切断した場合の模式的断面図
【図３】図１の頭部装身具の使用する前の状態を示す模式的斜視図
【図４】図１の頭部装身具を頭部周囲に装着した状態を前方から見た場合の模式的前面図
【図５】図１の頭部装身具を頭部周囲に装着した状態を側方から見た場合の模式的側面図
【図６】図１の頭部装身具を頭部周囲に装着した状態を後方から見た場合の模式的背面図
【発明を実施するための形態】
【００２２】
以下、適宜図面を参照しつつ本発明の実施の形態を詳説する。
【００２３】
図１及び図２の頭部装身具１は、前頭部及び両側頭部に弾着する略円筒状かつ棒状のヘッド部２と、ヘッド部２の両端から延び、両耳の耳介上側から背後に沿って頸部までに着装可能な棒状の耳掛け部３とを備えている。このヘッド部２は略円弧状の心線４を、耳掛け部３は心線５をそれぞれ有し、心線４及び心線５は、吸水性部材６で被覆されている。このように、ヘッド部２及び耳掛け部３は、スマートかつシンプルで目立たない形状を有することから、ヘッド部２を前頭部及び両側頭部に弾着させ、耳掛け部３を両耳介周辺から頸部に沿って伸長させても目立つことなく、装着時のデザイン性及びファッション性を損なうこともない。
【００２４】
ヘッド部２の心線４は、弾性体から構成されており、外部から負荷を加えると変形し、負荷を除くと元の形状に戻る性質を有する。かかる性質により、前頭部及び両側頭部周囲に対する弾着・脱着が容易となり、着脱作業の簡便性が向上する。また、ヘッド部２を頭部周囲に弾着すると、心線４の有する弾性によりヘッド部２が前頭部及び両側頭部を十分に押圧し、ヘッド部２と皮膚との隙間を閉止することから、前頭部及び両側頭部周囲で捕捉した汗が顔面や頸部に流出することを効果的に防止することができる。
【００２５】
心線４を構成する弾性体の材料としては、例えば鉄、鋼、銅、アルミニウム、チタン、ニッケルなどの金属；Ｎｉ−Ｔｉ系などの形状記憶合金；フェノール樹脂、尿素樹脂、エポキシ樹脂、メラミン樹脂、不飽和ポリエステル樹脂、アルキド樹脂、ポリウレタン、熱硬化性ポリイミドなどの熱硬化性樹脂；ポリエチレン、高密度ポリエチレン、中密度ポリエチレン、低密度ポリエチレン、ポリプロピレン、エチレン−プロピレン共重合体、エチレン酢酸ビニル共重合体、ポリ塩化ビニル、ポリ塩化ビニリデン、ポリスチレン、ポリ酢酸ビニル、ポリテトラフルオロエチレン、アクリロニトリルブタジエンスチレン樹脂、アクリル樹脂、ポリアミド、ナイロン、ポリアセタール、ポリカーボネート、変性ポリフェニレンエーテル、ポリブチレンテレフタレート、ポリエチレンテレフタレート、グラスファイバー強化ポリエチレンテレフタレート、環状ポリオレフィン、ポリフェニレンスルファイド、ポリテトラフロロエチレン、ポリスルホン、ポリエーテルサルフォン、非晶ポリアリレート、ポリエーテルエーテルケトン、熱可塑性ポリイミド、ポリアミドイミドなどの熱可塑性樹脂等が挙げられる。中でも、後述するように、金属であることが好ましく、形状記憶合金であることが特に好ましい。
【００２６】
なお、略円弧状の心線４の曲率半径としては、５０ｍｍ以上８０ｍｍ以下であることが好ましく、６０ｍｍ以上７０ｍｍ以下であることが特に好ましい。この曲率半径を上記範囲とすることで、弾着状態のヘッド部２の頭部からの脱落や位置ズレを効果的に防止することができると共に、前頭部及び両側頭部を十分に押圧することができる。
【００２７】
耳掛け部３の心線５は、塑性変形体から構成されており、外部から負荷を加えると変形し、負荷を除いても変形した状態を維持する性質を有する。かかる性質により、耳掛け部３を両耳介上側周縁の形状にフィットさせた状態を維持することができ、耳介への掛架が容易となる。さらに、両耳介背後から延びる耳掛け部３の延長部分を変形し、耳介背後から頸部に着装させることで、特に両耳介上側周辺及び後頸部から流出する汗を広範囲かつ漏れなく捕捉することができる。
【００２８】
心線５を構成する塑性変形体の材料としては、例えば鉄、鋼、銅、アルミニウムなどの金属；Ｎｉ−Ｔｉ系などの形状記憶合金；高延伸ポリエチレンなどの熱可塑性樹脂等が挙げられる。中でも、後述するように、金属であることが好ましく、形状記憶合金であることが特に好ましい。
【００２９】
上記心線４及び心線５は、一体成形された金属製線材から構成されるとよい。このように、ヘッド部２の心線４及び耳掛け部３の心線５が金属製線材から構成され、かつ、この金属製線材が一体的に成形されることで、心線４と心線５との境界部分が連続的に一体化し、ヘッド部２に要求される弾性及び耳掛け部３に要求される塑性変形性を、一体不可分かつ確実に実現することができる。また、心線４及び心線５の境界部分に接着点が存在せず、心線４の弾性変形の繰り返しや心線５の塑性変形の繰り返しを原因とする境界部分からの分離破損を防ぐことができる。さらに、かかる一体成形により、持ち運び等の取扱いの容易性が向上すると共に、心線４及び心線５の製造コストを低減することができる。
【００３０】
上記金属製線材は、形状記憶合金から構成されることが特に好ましい。かかる形状記憶合金は、（１）熱処理を施すと形状を記憶する形状記憶性と、（２）負荷を加えて変形させると、記憶した元の形状へ速やかに復元する超弾性とを有する。かかる性質を利用することで、心線４及び心線５に対し、それぞれ異なる温度で熱処理を施し、異なる形状を記憶させることができる。その結果、心線４が前頭部及び側頭部を押圧するために必要な弾性と、心線５が耳介や頸部の形状に合わせて変形するために必要な柔軟性及び塑性変形性とを、単純な構成により容易に実現することができる。
【００３１】
上記形状記憶合金の種類として、例えばＮｉ−Ｔｉ系合金、Ｃｕ−Ｚｎ−Ａｌ系合金、Ｃｕ−Ｚｎ−Ｓｉ系合金、Ｃｕ−Ｚｎ−Ｓｎ系合金、Ｆｅ−Ｍｎ−Ｓｉ系合金、Ｃｏ−Ｎｉ−Ａｌ系合金、Ｃｏ−Ｎｉ−Ｇａ系合金、Ｎｉ−Ｆｅ−Ｇａ系合金等が挙げられる。中でも、広い変態点温度範囲（例えば形状記憶効果：−１０℃から１００℃程度、超弾性効果：−２０℃から５０℃程度）を有するすると共に、優れた制振性・耐食性・耐摩耗性・生産コスト性を発揮するＮｉ−Ｔｉ系合金が好ましい。このＮｉ−Ｔｉ系合金の種類としては、例えばＮｉ−Ｔｉ−Ｆｅ系合金、Ｎｉ−Ｔｉ−Ｃｕ系合金、Ｎｉ−Ｔｉ−Ｃｒ系合金、Ｎｉ−Ｔｉ−Ｃｕ−Ｃｒ系合金等が挙げられる。
【００３２】
上記形状記憶合金から構成される心線４の変態点が０℃以上１０℃以下であり、上記形状記憶合金から構成される心線５の変態点が５０℃以上１２０℃以下であることが好ましい。かかる変態点の温度範囲を上記範囲とすることで、形状記憶合金から構成される心線４及び心線５の変態点を、それぞれ異なる温度に設定することができ、ヘッド部２及び耳掛け部３の使用特性に応じた最適な形状記憶性及び超弾性を発揮することができる。詳説すると、（１）心線４の形状記憶合金の変態点を０℃以上１０℃以下の如くヒトの体温未満の温度に設定し、かかる温度範囲内で略円弧状の形状を記憶させた場合において、ヘッド部２を頭部周囲に弾着すると、皮膚と接する弾着部分の温度はヒトの体温（一般的に３５℃程度）と同程度を示すことから、頭部周囲に装着している限りは心線４の略円弧状の形状を恒常的に維持することができる。一方、（２）心線５の形状記憶合金の変態点を５０℃以上１２０℃以下の如くヒトの体温を大幅に超える温度に設定し、かかる温度範囲内で直線の形状を記憶させた場合において、耳掛け部３を耳介周辺及び頸部に着装しても、ヒトの体温が５０℃に達することはないから、着装している限りは塑性変形の形状を恒常的に維持することができる。さらに、心線５の塑性変形を繰り返した後に、変形した心線５を設定した変態点の温度に曝露することで（例えば１００℃の沸騰した熱水に浸す）、容易に形状記憶時の直線形状を復元することができる。
【００３３】
上記金属製線材が鋼から構成される場合において、心線４のみに焼入れ処理及び焼き戻し処理が施されているとよい。このように鋼を焼入れすることで、心線４に十分な硬度を付与することができ、心線４の耐久性及び耐衝撃性を向上することができる。また、焼入れにより硬化した鋼から構成される心線４を焼き戻しをすることで、心線４に靭性を付与し、前頭部及び両側頭部の押圧及び頭部周囲へのスムーズな着脱のために必要な弾性を十分に付与することができる。この焼入れ・焼き戻しの効果を確実にするためには、鋼の炭素量が０．３％以上であることが好ましい。なお、この焼入れの手段は、特に限定されるものではないが、例えば浴焼入れ、スプレー焼入れ、ガス焼入れ、拘束焼入れ、中断焼入れ、熱浴焼入れ、塩焼入れ等が挙げられる。
【００３４】
心線４及び心線５の線径は、２ｍｍ以上５ｍｍ以下であることが好ましく、３ｍｍ以上４ｍｍ以下であることが特に好ましい。このように、棒状の線条体である心線４及び心線５の線径を上記範囲とすることで、より一層スマートかつシンプルで目立たない形状を実現することができると共に、心線４及び心線５の弾性及び柔軟性を確保し、頭部周囲への着脱作業や耳掛け部の変形作業が容易となる。また、心線４及び心線５の全部又は一部を後述する吸水性部材６で被覆し、十分な量の汗を吸収・保持させた場合であっても、ヘッド部２及び耳掛け部３の全体的なサイズの肥大を最小限に止め、ファッション性を損なわず、スマートで目立たない外観を十分に維持することができる。
【００３５】
吸水性部材６は、吸水性樹脂７と、２枚の通水性シート材８とから構成される略円筒状の部材であり、心線４及び心線５の周縁を被覆するものである。この吸水性部材６の構造を図２の断面図で詳説すると、２枚の通水性シート材８が吸水性樹脂７を挟入しており、吸水性樹脂７と心線４との間に通水性シート材８が介在することで、吸水性樹脂７が心線４に付着することを防ぐことができる。また、吸水性樹脂７が２枚の通水性シート材８で挟み込まれることにより、吸水性樹脂７自体を外部の接触等から十分に保護することができる。
【００３６】
吸水性樹脂７は、膨潤性及び保水性を有する高分子ポリマーである。これにより、頭部から流出する汗を吸収すると共に外部に漏出させることなく保持し、汗が顔面や頸部に流出することを効果的に防止することができる。この吸水性樹脂７の種類としては、例えば（Ａ）多糖類及び／又は単糖類と、水溶性モノマー及び／又は加水分解により水溶性となるモノマーから選択される１種以上の単量体と、架橋剤とを必須成分として重合させ、必要に応じて加水分解を行うことで得られる吸水性樹脂；（Ｂ）上記多糖類及び／又は単糖類と、上記単量体との重合体；（Ｃ）上記多糖類及び／又は単糖類の架橋物；（Ｄ）上記単量体と上記架橋剤との共重合体；（Ｅ）自己架橋性を有する上記単量体の重合物等が挙げられる。中でも、良好な吸水性を発揮する（Ａ）多糖類及び／又は単糖類と、水溶性モノマー及び／又は加水分解により水溶性となるモノマーから選択される１種以上の単量体と、架橋剤とを必須成分として重合させ、必要に応じて加水分解を行うことで得られる吸水性樹脂が特に好ましい。
【００３７】
上記多糖類としては、例えばショ糖、セルロース、ＣＭＣ、デンプン等が挙げられる。上記単糖類としては、例えばグルコース、フルクトース、ジグリセリン、ソルビトール、キシリトール、マンニトール、ペンタエリスリトール、ジペンタエリスリトール等が挙げられる。中でも、吸水性及びコスト性の観点から、多糖類はセルロース、単糖類はマンニトールを採用することが好ましい。
【００３８】
上記加水分解により水溶性となる単量体としては、例えば酸無水物基、低級アルキル（炭素数１から３）エステル基、ニトリル基などから少なくとも１個の加水分解性基を有するラジカル重合性単量体が挙げられる。
【００３９】
上記酸無水物基を有するラジカル重合性単量体としては、例えば無水マレイン酸、無水イタコン酸、無水シトラコン酸などのラジカル重合性単量体（炭素数４から２０）等が挙げられる。上記低級アルキルエステル基を有するラジカル重合性単量体としては、例えば（メタ）アクリル酸メチル、（メタ）アクリル酸エチルなどのモノエチレン性不飽和カルボン酸の低級アルキル（Ｃ１からＣ３）エステル；酢酸ビニル、酢酸（メタ）アリルなどのモノエチレン性不飽和アルコールのエステル等が挙げられる。上記ニトリル基を有するラジカル重合性単量体としては、例えば（メタ）アクリロニトリル等が挙げられる。これらの加水分解は、重合時又は重合後のどちらであっても、加水分解によって塩を形成し水溶性を発揮することができる。
【００４０】
上記単量体としては、例えばカルボキシル基、スルホン酸基、リン酸基を有するラジカル重合性水溶性単量体又はそれらの塩；（メタ）アクリルアミドなどのアミド基含有モノマー；ジメチルアミノエチル（メタ）アクリレート、ジエチルアミノエチル（メタ）アクリルアミドなどの３級アミノ基含有モノマー；この３級アミノ基含有モノマーの４級化物である第４級アンモニウム塩基含有モノマー；グリシジル（メタ）アクリレートなどのエポキシ基含有モノマー；４−ビニルピリジン、ビニルイミダゾール、Ｎ−ビニルピロリドンなどのモノマー等が挙げられる。
【００４１】
上記カルボキシル基を有するラジカル重合性水溶性単量体としては、例えば（メタ）アクリル酸、マレイン酸、マレイン酸モノアルキル（炭素数１から９）エステル、フマル酸、フマル酸モノアルキル（炭素数１から９）エステル、クロトン酸、ソルビン酸、イタコン酸、イタコン酸モノアルキル（炭素数１から９）エステル、イタコン酸グリコールモノエーテル、ケイ皮酸、シトラコン酸、シトラコン酸モノアルキル（炭素数１から９）エステルなどの不飽和モノ又はポリ（２価から６価）カルボン酸及びこれらの無水物等が挙げられる。
【００４２】
上記スルホン酸基を有するラジカル重合性水溶性単量体としては、例えばビニルスルホン酸、アリルスルホン酸、ビニルトルエンスルホン酸、スチレンスルホン酸などの脂肪族又は芳香族ビニルスルホン酸；２−ヒドロキシ−３−（メタ）アクリロキシプロピルスルホン酸；（メタ）アクリル酸スルホエチル、（メタ）アクリル酸スルホプロピルなどの（メタ）アクリルアルキルスルホン酸；２−アクリルアミド−２−メチルプロパンスルホン酸などの（メタ）アクリルアミドアルキルスルホン酸等が挙げられる。
【００４３】
上記リン酸基を有するラジカル重合性水溶性単量体としては、例えば２−ヒドロキシエチル（メタ）アクリロイルホスフェート、フェニル−２−アクリロイルロキシエチルホスフェートなどの（メタ）アクリル酸ヒドロキシアルキルリン酸モノエステル等が挙げられる。
【００４４】
上記カルボキシル基、スルホン酸基、リン酸基を含有する水溶性単量体の塩としては、例えばナトリウム塩、カリウム塩などのアルカリ金属塩；カルシウム塩、マグネシウム塩などのアルカリ土類金属塩等が挙げられる。
【００４５】
上記架橋剤としては、例えばラジカル重合性不飽和基を２個以上有する架橋剤、ラジカル重合性不飽和基と反応性官能基とを有する架橋剤、反応性官能基を２個以上有する架橋剤等が挙げられる。このラジカル重合性不飽和基を２個以上有する化合物としては、例えばＮ，Ｎ’−メチレンビス（メタ）アクリルアミド、エチレングリコールジ（メタ）アクリレート、ポリエチレングリコールジ（メタ）アクリレート、プロピレングリコールジ（メタ）アクリレート、グリセリンジアクリレート、グリセリントリアクリレート、トリメチロールプロパントリアクリレート、トリアリルアミン、トリアリルシアヌレート、トリアリルイソシアヌレート、テトラアリロキシエタン、ペンタエリスリトールトリアリルエーテル等が挙げられる。
【００４６】
上記（Ｂ）多糖類及び／又は単糖類と、上記単量体との重合体としては、例えばデンプン−アクリロニトリルグラフト重合体の加水分解物、セルロース−アクリロニトリルグラフト重合物の加水分解物等が挙げられる。上記（Ｃ）多糖類及び／又は単糖類の架橋物としては、例えばカルボキシメチルセルロースの架橋物等が挙げられる。上記（Ｄ）単量体と上記架橋剤との共重合体としては、例えば架橋ポリアクリルアミドの部分加水分解物、架橋アクリル酸−アクリルアミド共重合体、架橋スルホン化ポリスチレンなどの架橋ポリスルホン酸塩、架橋ポリアクリル酸塩／ポリスルホン酸塩共重合体、架橋ポリアクリル酸（塩）、架橋アクリル酸−アクリル酸エステル共重合体、架橋イソブチレン−無水マレイン酸共重合体、架橋ポリビニルピロリドン、架橋カルボン酸変性ポリビニルアルコール等が挙げられる。上記（Ｅ）自己架橋性を有する上記単量体の重合物としては、例えば自己架橋型ポリアクリル酸塩などの自己架橋性を有する上記単量体の重合物等が挙げられる。
【００４７】
吸水性樹脂７の重合方法については、例えば水溶液重合法、逆相懸濁重合法、噴霧重合法、光開始重合法、放射線重合法等が挙げられ、中でも、ラジカル重合開始剤を使用する水溶液重合法が好ましい。
【００４８】
また、上記重合方法により得られる吸水性樹脂７の含水ゲル状重合体を乾燥・粉砕し、粒度調整して得られる吸収剤粒子の表面近傍を、カルボキシル基等の酸基及び／又はその塩基と反応し得る官能基を少なくとも２個有する架橋剤で表面架橋することもできる。かかる表面架橋処理を行うことで、吸収性能と吸収速度を向上することができる。
【００４９】
上記表面架橋に使用する架橋剤としては、例えば、エチレングリコールジグリシジルエーテル、グリセリン−１，３−ジグリシジルエーテル、グリセリントリグリシジルエーテル、ポリエチレングリコール（重合度２から１００）ジグリシジルエーテル、ポリグリセロール（重合度２から１００）ポリグリシジルエーテルなどの１分子中にエポキシ基を２から１０個有するポリグリシジルエーテル化合物；グリセリン、エチレングリコール、ポリエチレングリコール（重合度２から１００）などの２価から２０価のポリオール化合物；エチレンジアミン、ジエチレントリアミンなどの２価から２０価のポリアミン化合物；ポリアミドポリアミンエピクロルヒドリン樹脂、ポリアミンエピクロルヒドリン樹脂などのポリアミン系樹脂（分子量２００から５０００００）；エチレンカーボネイトなどのアルキレンカーボネイト；アジリジン化合物；オキサゾリン化合物；ポリイミン化合物等が挙げられる。
【００５０】
吸水性樹脂７の吸水量は、１０ｇ／ｇ以上１５００ｇ／ｇ以下であることが好ましく、２０ｇ／ｇ以上８００ｇ／ｇ以下であることが特に好ましい。この吸水量の範囲を上記範囲とすることで、多汗症やストレス等により過度に汗を分泌する場合であっても、流出する大量の汗を漏れなく十分に捕捉・吸収することができる。また、かかる吸水量の範囲であれば、汗を吸収・保持した状態の吸水性樹脂７が衝撃吸収性を発揮し、その結果、吸水性部材６の破損や変形を防ぐことができる。なお、この吸水量が１０ｇ／ｇ未満であると吸水後の樹脂が脆性を有するため好ましくなく、１５００ｇ／ｇを超えると吸水後の樹脂が過度に柔軟となり破損し易くなるため好ましくない。
【００５１】
通水性シート材８は、上述の通り、吸収性樹脂７の心線４及び心線５への付着を防ぎ、吸水性樹脂７自体を保護することに加え、頭部から流出する汗を吸収し、吸収した汗を気化させる効果を有するものである。かかる効果により、吸水性樹脂７と併用して汗の吸収効果を向上させると共に、吸収した汗の気化熱を外部に分散させて頭部周囲の体感体温を下げることができる。
【００５２】
通水性シート材８の材料としては、特に限定されるものではないが、例えば、織物、編物、不織布、パルプ等から構成される繊維構造物を用いることが好ましい。中でも、優れた吸収性及び取扱いの容易性から不織布がより好ましく、天然繊維、合成繊維、半合成繊維又はこれらの複合繊維から構成される不織布がさらに好ましい。
【００５３】
上記天然繊維としては、例えばコットン、シルク、羊毛、麻、パルプ等が挙げられる。上記合成繊維としては、例えばナイロン繊維、ポリエチレン繊維、ポリプロピレン繊維、ポリスチレン繊維、ポリエステル繊維、ポリアミド繊維、アクリル繊維、ポリビニルアルコール繊維、ポリエチレンテレフタレート繊維、ウレタン繊維、アクリル繊維、エチレン酢酸ビニル繊維等が挙げられる。上記半合成繊維としては、例えばレーヨン繊維、アセテート繊維、キュプラ等が挙げられる。上記複合繊維としては、例えばポリエチレン／ポリエステル（ポリエチレンテレフタレートを含む）複合繊維、ポリエチレン／ポリプロピレン複合繊維、エチレン酢酸ビニル／ポリプロピレン複合繊維等が挙げられる。
【００５４】
なお、上記不織布の製造方法としては、例えば湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法、エアレイド法等が挙げられる。
【００５５】
通水性シート材８の通気度は、０．１ｃｍ３／ｃｍ２・ｓｅｃ以上４０ｃｍ３／ｃｍ２・ｓｅｃ以下であることが好ましく、１ｃｍ３／ｃｍ２・ｓｅｃ以上８ｃｍ３／ｃｍ２・ｓｅｃ以下であることが特に好ましい。この通気度の範囲を上記範囲とすることで、吸水性樹脂７及び通水性シート材８に吸収・保持された汗を効率よく気化し、この気化熱を外部に発散することができる。その結果、頭部周囲の体感温度をより一層下げることができる。かかる通気度が０．１ｃｍ３／ｃｍ２・ｓｅｃ未満であると吸水性樹脂７が吸収した汗の気化速度が低下するため好ましくなく、４０ｃｍ３／ｃｍ２・ｓｅｃを超えると挟入した吸水性樹脂７が通水性シート材８から外部に漏出し易くなるため好ましくない。
【００５６】
また、吸水性部材６には、抗菌剤、消臭剤及び／又は香料を配合するとよい。吸水性部材６に抗菌剤を配合することで、頭部装身具１に付着する細菌を除去し、繁殖を抑制することができる。その結果、悪臭の発生や吸水性部材６の劣化を効果的に防止することができる。また、消臭剤を配合することにより、悪臭の発生を一層抑制することができる。さらに、香料を配合することで、頭部装身具１の装着者や第三者に対するリラックス効果を高めると共に、大量の汗をかいた装着者が第三者に与える好ましくない外観上の印象を芳香により改善する余地を有する。なお、これらの抗菌剤、消臭剤、香料の一種のみを使用することができ、二種以上を選択して使用することもできる。
【００５７】
上記抗菌剤としては、例えば３，４，４−トリクロロカルバニリド、レゾルシン、フェノール、ヘキサクロロフェン、トリクロサン、イソプロピルメチルフェノールなどのノニオン系抗菌剤；塩化ベンザルコニウム、塩化ベンゼトニウム、塩化アルキルトリメチルアンモニウム、ジンクピリチオンなどのカチオン系抗菌剤；ソルビン酸、サリチル酸などのアニオン系抗菌剤；銀、銅、亜鉛、白金、ニッケル、光触媒作用を有する酸化チタンなどの金属を含有する無機抗菌剤等が挙げられる。
【００５８】
上記消臭剤としては、例えば酸化カルシウム、酸化マグネシウム、酸化亜鉛、酸化バリウム、活性炭、シリカゲル、木酢液、竹酢液、焙煎コーヒー豆の抽出残渣、茶殻、ゼオライト、ベントナイト、カテキン類、カルコン、フラバノン、フラボン、フラボノール、フラバノノール、フラバノール、イソフラボン、アントシアン類等が挙げられる。中でも、消臭効果が高い酸化亜鉛が好ましい。
【００５９】
上記香料としては、例えばアネトール、シネオール、バジル、クラリセージ、シトラール、α−ピネン、β−ピネン、γ−テルピネン、ノナノール、オクタノール、シトロネラール、ヨノン、メチルヨノン、ラベンダー、マージョラム、オレガノ、パチュリ、ローズマリー、セージ、ローズウッド、クローブ、シナモン、オイゲノール、リナロール、ティートリ、α−テルピネオール、シトロネロール、リモネン、α−テルピネン、アセチルセドレン、α−テルペニルアセテート、セドロール、ラバンデュリルアセテート、１，８−シネオール、テルピネン−４−オール、酢酸リナリル、酢酸ベンジル、ミルセン、β−カリオフィレン、スクワレオール、ゲラニルアセテート、ネリルアセテート、ジメチルテトラヒドロベンズアルデヒド、アンブロキサン、ゲラニルニトリル、バクダノール、アセトナフトン、ヘキサメチルヘキサヒドロシクロペンタン、ベンゾピラン、クマリン、γ−フェニルエチルアルコール、リリアル、バニリン、メチルジヒドロジャスモネート、ペパーミント油、シダーウッド、ラバンジン油、ゼラニウム油、レモン油、シトロネラ油、スイートオレンジ油、ライム油等が挙げられる。
【００６０】
次に、頭部装身具１の使用方法について説明する。図３の頭部装身具１は、使用前の状態を示すものである。この頭部装身具１を構成する心線４及び心線５に、略円筒状の吸水性部材６を装着する。具体的には、吸水性部材６の中空部分に心線５の一端を挿入・貫通させ、心線４及び心線５を完全に被覆させる。なお、このような挿入・貫通作業の途中で心線５の先端が吸水性部材６を突き破るおそれがある場合には、吸水性部材６を短く断片化することで（例えば２０ｍｍ程度）、作業効率を向上することができる。
【００６１】
このように、吸水性部材６で被覆した頭部装身具１について、（１）略円弧状のヘッド部２を頭部周囲に当接させることで、ヘッド部２は弾性を発揮して隙間なく前頭部及び側頭部を押圧する。この際、ヘッド部２が前頭部の眉上隆起に乗り上げるように当接させることが好ましい。次いで、（２）両側頭部から延びる一対の耳掛け部３を耳介上側から背後に沿って当接するように変形させる。さらに、（３）耳介の背後からさらに延びる耳掛け部３の延長部分を変形し、両耳介背後から後頸部に沿うように着装させ、延長部分の両端を接触させることで、装着作業が完了する。図４から図６は、かかる一連の装着課程を経て頭部周囲に装着した状態の頭部装身具１を示すものである。
【００６２】
なお、本発明の頭部装身具は、上記実施形態に限定されるものではない。例えば、ヘッド部の心線と耳掛け部の心線とを別の部品として成形することができる。これにより、各部品を分解して持ち運ぶことが可能となる。かかる心線同士の接着手段としては、例えば接着剤による接合、溶接接合、ネジ等による物理的接合等が挙げられる。
【００６３】
また、吸水性部材の通水性シート材に様々な着色や模様を施すことにより、本発明の頭部装身具の全体的なデザイン性を向上することができる。なお、このように着色や模様を施した吸水性部材を短く断片化し、断片化した吸水性部材に心線を挿入・貫通させることで、着色や模様のパターンや配置を自由に設定することができる。
【産業上の利用可能性】
【００６４】
以上のように、本発明の頭部装身具は、スマートな棒状のシンプルかつ目立たない構造を有し、高いデザイン性及びファッション性を発揮することから、日常生活のみならず、多汗症やストレス等により大量に汗をかく場面、ビジネスの場面、演劇やＴＶなどの芸能の場面、野球・サッカー・バスケットボールなどのスポーツの場面等において広く好適に使用され得る。また、本発明の頭部装身具は、単純かつ簡便な構成により頭部全体から流出する汗を広く捕捉・吸収できることから、製造容易性及び低コスト性を実現することができる。さらに、本発明で使用する吸水性部材は使い捨てが可能であり、心線はリサイクルが可能であることから、エコフレンドリーを実現することができる。
【符号の説明】
【００６５】
１    頭部装身具
２    ヘッド部
３    耳掛け部
４    ヘッド部の心線
５    耳掛け部の心線
６    吸水性部材
７    吸水性樹脂
８    通水性シート材
【図１】
2011026718.tif 000003
【図２】
2011026718.tif 000004
【図３】
2011026718.tif 000005
【図４】
2011026718.tif 000006
【図５】
2011026718.tif 000007
【図６】
2011026718.tif 000008